(57)【要約】【課題】不使用時における昇降筒の不測の上昇を防止し得、かつ使用時において昇降筒を任意の位置へ正確に保持させることが可能であると共に、棒状化粧品を不用意に押しても簡単に下がることがない棒状化粧品繰出し容器を提供する。【解決手段】  摘み筒２の上端内周部から内筒３を起立して、該内筒に割溝４ａを縦設した回動筒１と、上記内筒３外面へ回動自在に嵌合させた外筒１２内面に螺旋溝１３を形成した把持筒１１と、上記内筒３下部内面へ嵌合させた昇降筒１５上部外面から係合ピン１６を突設して、該係合ピンを上記割溝を介して螺旋溝１３へ摺動自在に係合させた棒状化粧品保持筒１４とを備え、上記昇降筒１５下端からバネ材２１を垂下して、該バネ材を内筒３内面へ摺動自在に弾性接触させた。【選択図】  図１
2010233944.tif 000002
【特許請求の範囲】
【請求項１】
摘み筒２の上端内周部から内筒３を起立して、該内筒に割溝４ａを縦設した回動筒１と、
上記内筒３外面へ回動自在に嵌合させた外筒１２内面に螺旋溝１３を形成した把持筒１１と、
上記内筒３下部内面へ嵌合させた昇降筒１５上部外面から係合ピン１６を突設して、該係合ピンを上記割溝を介して螺旋溝１３へ摺動自在に係合させた棒状化粧品保持筒１４とを備え、
上記昇降筒１５下端からバネ材２１を垂下して、該バネ材を内筒３内面へ摺動自在に弾性接触させた
ことを特徴とする棒状化粧品繰出し容器。
【請求項２】
上記昇降筒１５下端から脚片２０を垂下して、該脚片から周方向へ上記バネ材２１を突出させたことを特徴とする請求項２記載の棒状化粧品繰出し容器。
【請求項３】
上記バネ材２１の突出端を、隣接する脚片２０へ接続したことを特徴とする請求項２記載の棒状化粧品繰出し容器。
【請求項４】
上記バネ材２１を径方向へ波形状に折曲する板バネから構成して、該板バネの径外方向への膨出部を内筒３内面へ摺動自在に弾性接触させたことを特徴とする請求項２又は３記載の棒状化粧品繰出し容器。
【請求項５】
上記昇降筒１５は棒状化粧品を保持する受皿筒１７と、該受皿筒下部外面へ嵌合させたホルダ筒１８とから構成され、該ホルダ筒上部外面に上記係合ピン１６を設けると共に、上記ホルダ筒下端から脚片２０を垂下したことを特徴とする請求項１ないし４いずれか１項記載の棒状系化粧品繰出し容器。
【発明の詳細な説明】
【技術分野】
【０００１】
本発明は口紅等の棒状化粧品を繰出し可能に設けた棒状化粧品繰出し容器に関する。
【背景技術】
【０００２】
内筒に割溝を、かつ外筒内面に螺旋溝を形成し、内筒へ上下動自在に嵌合させた昇降筒に付設した係合ピンを割溝を介して螺旋溝へ摺動自在に係合させ、外筒の回動で昇降筒を上下動させることにより昇降筒に保持された棒状化粧品を繰出し可能に設けた棒状化粧品繰出し容器が従来技術として知られている。
【先行技術文献】
【特許文献】
【０００３】
【特許文献１】実開平１−１１８７１３号公報
【発明の概要】
【発明が解決しようとする課題】
【０００４】
しかしながら、従来技術は保管時や運搬時等の不使用時に、昇降筒に外力、特に昇降筒を回動させる方向への回動力が加わることで、昇降筒が上昇して棒状化粧品がキャップの天面に接触することがあり、あるいは使用時に昇降筒を任意の位置へ正確に保持させることができないという課題がある。
本発明は、上記課題を解決するためになされたもので、不使用時における昇降筒の不測の上昇を防止し得、かつ使用時において昇降筒を任意の位置へ正確に保持させることが可能であると共に、棒状化粧品を不用意に押しても簡単に下がることがない棒状化粧品繰出し容器を提供することを目的とする。
【課題を解決するための手段】
【０００５】
上記課題を解決するために、本発明は、摘み筒２の上端内周部から内筒３を起立して、該内筒に割溝４ａを縦設した回動筒１と、
上記内筒３外面へ回動自在に嵌合させた外筒１２内面に螺旋溝１３を形成した把持筒１１と、
上記内筒３下部内面へ嵌合させた昇降筒１５上部外面から係合ピン１６を突設して、該係合ピンを上記割溝を介して螺旋溝１３へ摺動自在に係合させた棒状化粧品保持筒１４とを備え、
上記昇降筒１５下端からバネ材２１を垂下して、該バネ材を内筒３内面へ摺動自在に弾性接触させたことを特徴とする。
【０００６】
また、本発明は、上記昇降筒１５下端から脚片２０を垂下して、該脚片から周方向へ上記バネ材２１を突出させたことを特徴とする。
【０００７】
さらに、本発明は、上記バネ材２１の突出端を、隣接する脚片２０へ接続したことを特徴とする。
【０００８】
さらに、本発明は、上記バネ材２１を径方向へ波形状に折曲する板バネから構成して、該板バネの径外方向への膨出部を内筒３内面へ摺動自在に弾性接触させたことを特徴とする。
【０００９】
さらに、本発明は、上記昇降筒１５は棒状化粧品を保持する受皿筒１７と、該受皿筒下部外面へ嵌合させたホルダ筒１８とから構成され、該ホルダ筒上部外面に上記係合ピン１６を設けると共に、上記ホルダ筒下端から脚片２０を垂下したことを特徴とする。
【発明の効果】
【００１０】
本発明は、昇降筒下端からバネ材を垂下して、該バネ材を内筒内面へ摺動自在に弾性接触させたので、運搬時や保管時等の不使用時に、昇降筒にこれを回動させる方向等の外力が加わっても昇降筒はバネ材を介して内筒へ弾性接触しているため、棒状化粧品が上昇してキャップの天面に接触するといった事態が防止されると共に、仮に係合ピンと螺旋溝との係合において上下方向へのガタがあったとしてもバネ材により昇降筒の上下方向への動きが規制されるため、昇降筒を正確な位置に保持させることができ、さらには棒状化粧品を不用意に押しても簡単に下がることがない。
【図面の簡単な説明】
【００１１】
【図１】本発明に係る棒状化粧品繰出し容器の断面図である。
【図２】螺旋溝の概略図である。
【図３】要部を示す斜視図である。
【発明を実施するための形態】
【００１２】
以下、本発明の実施の形態について、図面を参照しながら詳細に説明する。
図１において、１は回動筒で、摘み筒２の上端内周部から内筒３を起立して、該内筒の左右両部の上下方向中間部に第１の縦割溝４ａを縦設し、図２に示すように、その上端部を周方向へ屈曲して第１の横割溝４ｂに形成すると共に、その下端部を周方向へ第１の横割溝４ｂと反対方向に屈曲して第２の横割溝４ｃに形成し、かつこの第２の横割溝先端から第２の縦割溝４ｄを縦設する。１０は内筒３上端部外面に周設した第１突条である。
【００１３】
１１は把持筒で、内筒３外面へ外筒１２を回動自在に嵌合させて、その下端を摘み筒２上端の外周部上面へ回動自在に載置させると共に、その内面に２条の螺旋溝１３を形成して、各螺旋溝下端を第２の縦割溝４ｄ下端に、かつ各螺旋溝上端を第１の横割溝４ｂ先端に、それぞれ開口させ、さらに外筒１２上端内周部を第１突条１０下面へ回動可能に係合させている。
【００１４】
１４は棒状化粧品保持筒で、内筒３下部内面へ上下動自在に嵌合させた昇降筒１５を備えている。昇降筒１５は棒状化粧品１６を保持する受皿筒１７と、該受皿筒下部外面へ嵌合させたホルダ筒１８とから構成されている。
【００１５】
受皿筒１７は摘み筒２内に位置する小内径部１７ａ上端から第１上向き段部１７ｂを介して中内径部１７ｃを起立し、中内径部上端から第２上向き段部１７ｄを介して大内径部１７ｅを起立させている。
【００１６】
ホルダ筒１８は小内径部１７ａ外面へ凹凸の係合手段１８ａを介して抜出し不能に嵌合させた小筒部１８ｂ上端から上向き段部１８ｃを介して大筒部１８ｄを起立させている。上向き段部１８ｃ内周を第２上向き段部１７ｂ下面へ当接させると共に、大筒部１８ｄ下部内面に係合突条１８ｅを周方向へ間隔をおいて複数形成すると共に、該係合突条１８ｅを受皿筒１７の縦溝１７ｆへ嵌合させている。さらに、大筒部１８ｄ外面の左右両部から係合ピン１６を突設して、各係合ピンを第２の横割溝４ｃへ上下動自在に挿通させ、かつその先端部を螺旋溝１３へ摺動自在に係合させている。
【００１７】
さらに大筒部１８ｄ下端から脚片２０を周方向に所定の間隔をおいて複数個垂下して、隣接する一対の脚片２０間に板バネからなるバネ材２１を設けて、該バネ材２１の両端を脚片２０へ接続している。その際、バネ材２１とホルダ筒１８下端との間に間隙が形成されるように構成する。
【００１８】
バネ材２１は径方向へ折曲して波形状に形成し、径外方への膨出部を摘み筒２内面へ摺動自在に弾性接触させる。このようにすることでホルダ筒１８をバネ材２１を介して上下方向へ不必要に動かないようにすることができる。
【００１９】
なお、上記ではバネ材２１の両端は脚片２０に接続されているが、片持ち式に一端だけを接続させることも可能である。また、バネ材２１は板バネに限定されることなく、線状のバネ材を使用することも可能である。要するに、ホルダ筒１８がバネ材２１を介して回動筒１に弾性保持されればよく、バネ材２１の形状に特に限定はない。
【００２０】
３０は外筒１２の下部外面へ回動自在に嵌合させた有底の装飾筒で、上端部外面を外方へ膨出させて断面矩形状の当接部３１を形成している。当接部３１は内外筒を覆うキャップ４０の下端を当接させるためのものである。
【００２１】
次に作用について説明する。棒状化粧品を繰り出すには、把持筒１１からキャップ４０を上方へ離脱させた後、把持筒１１を把持して摘み筒２を開方向へ回動させればよく、すると第２の横割溝４ｃへ挿通させた係合ピン１６が螺旋溝１３に案内されて上昇し、これと共に棒状化粧品保持筒１４が上昇する。
【００２２】
上記のように、棒状化粧品保持筒１４は板バネ２１により回動筒１に対して弾性保持されているため、不使用時に外筒に外力が加わっても上昇してキャップ天面に接触することがなく、また使用時には任意の位置に正確に保持させることができると共に、不用意に棒状化粧品を押しても簡単に下がることがない。
【産業上の利用可能性】
【００２３】
本発明は、口紅等の棒状化粧品を繰出して使用する棒状化粧品繰出し容器の分野に利用することができる。
【符号の説明】
【００２４】
１  回動筒
２  摘み筒
３  内筒
１１  把持筒
１４  棒状化粧品保持筒
１５  昇降筒
１７  受皿筒
１８  ホルダ筒
２０  脚片
２１  バネ材
【図１】
2010233944.tif 000003
【図２】
2010233944.tif 000004
【図３】
2010233944.tif 000005